(57)【要約】  【課題】芯出し測量作業やアンカーボルトの位置決め作業の負担を軽減し、柱脚のコンクリート基礎への定着を簡便かつ省力的に行えるようにする。  【解決手段】下端部にベースプレート１４が備えられた柱脚７Ａを基礎コンクリート１３へ定着するための定着構造であって、前記ベースプレート１４は、該ベースプレート１３の外方側位置であってかつ基礎コンクリート１３に埋設されたアンカーボルト１５によって固定された押えプレート１７により、上面側から押え付けられるように保持された構造とする。【選択図】図３
2005133442.tif 000002
【特許請求の範囲】
【請求項１】
下端部にベースプレートが備えられた柱脚を基礎コンクリートへ定着するための定着構造であって、
前記ベースプレートは、該ベースプレートの外方側位置であってかつ基礎コンクリートに埋設されたアンカーボルトによって固定された押えプレートにより、上面側から押え付けられるように保持されていることを特徴とする柱脚基部の定着構造。
【請求項２】
前記押えプレートは、両端部にそれぞれアンカーボルトを挿通するためのボルト孔が形成され、かつ前記柱脚を跨いで両側に夫々配設されている請求項１記載の柱脚基部の定着構造。
【請求項３】
前記ベースプレートは、押えプレートを固定するアンカーボルトとの間に間隙を有するとともに、前記押えプレートは柱脚との間に間隙を有することにより、平面内の二次元方向に位置調整可能としてある請求項１，２いずれかに記載の柱脚基部の定着構造。
【請求項４】
上記請求項１〜３いずれかに記載の柱脚基部の定着構造のための施工方法であって、
前記基礎コンクリートの施工時に、前記押えプレートをゲージとして埋設されるアンカーボルトの位置決めを行い、生コンクリートの打設を行う第１手順と、
基礎コンクリートの上面にレベル調整用モルタルを打設し、ベースプレート載置面の高さ調整を行う第２手順と、
前記レベル調整用モルタル上に柱脚のベースプレートを設置したならば、前記アンカーボルトをボルト孔に挿通させながら前記ベースプレートの上面側に押えプレートを載置し、前記アンカーボルトに螺設したナット部材により締結を図り、前記ベースプレートを上面側から押え付けるように保持する第３手順と、からなることを特徴とする柱脚基部の施工方法。
【発明の詳細な説明】
【技術分野】
【０００１】
本発明は、下端部にベースプレートが備えられた柱脚をコンクリート基礎に定着するための定着構造及びその施工方法に関する。
【背景技術】
【０００２】
建築構造物、土木構造物等の各種構造物においては、上屋構造体等の構造体をコンクリート基礎へ定着するために、前記上屋構造体の柱脚下端にベースプレートを設け、このベースプレートをコンクリート基礎に埋設したアンカーボルトによって定着するようにしている。
【０００３】
具体的には、図７に示されるように、コンクリート基礎５１に上端部を突出させた状態で複数本のアンカーボルト５２，５２…を埋設しておくとともに、柱脚５６の下端部に、前記アンカーボルト５２，５２…に対応した位置にボルト孔を有するベースプレート５５を溶接等によって固設し、前記コンクリート基礎５１の上面にレベル調整用モルタル５３を打設したならば、前記ベースプレート５５のボルト孔にアンカーボルト５２，５２…を通しながら、前記レベル調整用モルタル５３の上面に設置し、アンカーボルト５２に螺設したナット部材５４、５４により締結するようにしている（下記、特許文献１、２等参照）。
【特許文献１】特開平８−１８４０６１号公報
【特許文献２】特開平１１−１１７３２１号公報
【発明の開示】
【発明が解決しようとする課題】
【０００４】
しかしながら、上記柱脚基部の定着構造の場合には、ベースプレートのボルト孔の位置とアンカーボルトとの位置が少しでもずれてしまうとアンカーボルトを挿通することができなくなるので、コンクリート基礎の施工時に、細心の注意を払いながら、アンカーボルトを正規の位置に高い精度で位置決めしなければならず、このための芯出し測量作業並びにアンカーボルトの位置決め作業に多くの手間が掛かっていた。
【０００５】
特に、後述する温室のような二次的構造物や仮設住宅の場合には、施工の簡略化、コスト低廉化、工程短縮の要求が高いにも拘わらず、前記芯出し測量作業やアンカーボルトの位置決め作業に多くの手間と時間が掛かってしまい、上記要求を満たせない原因となっていた。特に、前者の温室構造の場合は、他の構造物と比べて非常に多数の柱脚を有するため、前記芯出し測量作業やアンカーボルトの位置決め作業が多大な負担となっていた。また、上記温室構造物の製作精度は二次的構造物であるがために、通常の建築構造物と同等の製作精度を期待することは困難であるためアンカーボルトとの位置ズレが生じることが多く、これら製作精度を許容し得る柱脚基部の定着構造が強く望まれていた。
【０００６】
そこで本発明の主たる課題は、芯出し測量作業やアンカーボルトの位置決め作業の負担を軽減し、柱脚のコンクリート基礎への定着を簡便かつ省力的に行えるようにするとともに、施工コストの低減等を図り得る柱脚基部の定着構造及びその施工方法を提供することにある。
【課題を解決するための手段】
【０００７】
前記課題を解決するための請求項１に係る本発明として、下端部にベースプレートが備えられた柱脚を基礎コンクリートへ定着するための定着構造であって、
前記ベースプレートは、該ベースプレートの外方側位置であってかつ基礎コンクリートに埋設されたアンカーボルトによって固定された押えプレートにより、上面側から押え付けられるように保持されていることを特徴とする柱脚基部の定着構造が提供される。
【０００８】
上記請求項１記載の本発明においては、ベースプレートのボルト孔にアンカーボルトを挿通しナットにより定着を図るのではなく、前記ベースプレートの上面側に配設される押えプレートをアンカーボルトによって固定するようにし、前記ベースプレートは前記押えプレートにより上面側から押え付けられるように保持される構造とした。その結果、アンカーボルトの芯出し測量作業や位置決め作業に高い精度が要求されなくなるとともに、柱脚の設置位置に従来の場合と比べてかなり大きな許容誤差を持たせることが可能となるため、これらの作業が大幅に簡便かつ省力化されるようになる。
【０００９】
請求項２に係る本発明として、前記押えプレートは、両端部にそれぞれアンカーボルトを挿通するためのボルト孔が形成され、かつ前記柱脚を跨いで両側に夫々配設されている請求項１記載の柱脚基部の定着構造が提供される。前記押えプレートは、柱脚の全方向への倒れを防止するために、左右対の形で設けるのが望ましい。
【００１０】
請求項３に係る本発明として、前記ベースプレートは、押えプレートを固定するアンカーボルトとの間に間隙を有するとともに、前記押えプレートは柱脚との間に間隙を有することにより、平面内の二次元方向に位置調整可能としてある請求項１，２いずれかに記載の柱脚基部の定着構造が提供される。請求項３記載の発明のように、柱脚位置を平面内の二次元方向（Ｘ方向、Ｙ方向）に位置調整可能とすることにより、アンカーボルトの設置精度が高くなくても、或いは架構（上部構造体）の製作精度が高くなくても、これらの誤差を吸収しながら柱脚を確実に設置できるようになる。
【００１１】
請求項４に係る本発明として、上記請求項１〜３いずれかに記載の柱脚基部の定着構造のための施工方法であって、
前記基礎コンクリートの施工時に、前記押えプレートをゲージとして埋設されるアンカーボルトの位置決めを行い、生コンクリートの打設を行う第１手順と、
基礎コンクリートの上面にレベル調整用モルタルを打設し、ベースプレート載置面の高さ調整を行う第２手順と、
前記レベル調整用モルタル上に柱脚のベースプレートを設置したならば、前記アンカーボルトをボルト孔に挿通させながら前記ベースプレートの上面側に押えプレートを載置し、前記アンカーボルトに螺設したナット部材により締結を図り、前記ベースプレートを上面側から押え付けるように保持する第３手順と、からなることを特徴とする柱脚基部の施工方法が提供される。
【発明の効果】
【００１２】
以上詳説のとおり本発明によれば、芯出し測量作業やアンカーボルトの位置決め作業の負担を軽減し、柱脚のコンクリート基礎への定着を簡便かつ省力的に行えるようになるとともに、施工コストの低減等を図り得るようになる。
【発明を実施するための最良の形態】
【００１３】
以下、本発明の実施の形態について図面を参照しながら詳述する。
図１は、本発明に係る柱脚の定着構造が適用される温室１の側面図、図２(A)は図１のIIＡ−IIＡ線矢視図、図２(B)は図１のIIＢ−IIＢ線矢視図である。
【００１４】
温室１は、パイプ、Ｈ形綱、角形鋼管、Ｃ形鋼材などの形材から構成される架構２と、この架構内空間を覆うように前記架構外面に張設された日射透過性被覆材３とからなるものである。本形態例に係る温室１は、プラスチックハウスであるため、前記日射透過性被覆材３としては、プラスチックフィルムが使用されている。具体的には、ポリエステルフィルム、フッ素フィルムなどの硬質フィルム又は塩化ビニルフィルム、ポリエチレンフィルム等のポリオレフィン系フィルムなどの軟質フィルムが使用される。一方、前記架構２は、中間面材４，４…と、端部面材５，５とからなる面材が水平方向（長手方向）に沿って配設された複数の水平連結材６，６…によって連結された構造となっている。
【００１５】
前記中間面材４は、本例では図２(A)に示されるように、両側部に夫々配設される側柱脚７、７が、間口方向断面内（横断面内）に並列配置された２本の柱脚７Ａ、７Ｂを斜材８、８…及び／又は水平材９，９…などの連結材によって一体的に組み上げた複合柱構造とされる。前記複合柱脚間７，７に架け渡される主梁１０は、それぞれの複合柱脚の略頂部から間口中央側に向かって斜め下方向に傾斜し中間で接合された梁部材となっている。また、前記複合柱脚７において、相対的に外側に位置する柱脚７Ａの高さを相対的に内側に位置する柱脚７Ｂの高さよりも低くし、かつ前記外側柱脚７Ａと内側柱脚７Ｂとを曲線梁１１で結合した構造となっている。なお、前記外側柱脚７Ａと曲線梁１１とは連続する一体の部材とすることでもよい。また、本例では外側柱脚７Ａの頂部と内側柱脚７Ｂの頂部とを曲線梁１１で連結したが、直線梁で連結するようにしてもよい。
【００１６】
一方、端部面材５は、図２(B)に示されるように、前述した中間面材４の架構断面と基本構造は同じであるが、これに加えて、間柱脚１２．１２…が所定の間隔で配置され、所定箇所に出入口部が設けられるようになっている。なお、出入口部を形成するための妻柱、妻梁、鴨居等は図中から省略されている。
【００１７】
前記内側柱脚７Ｂ、外側柱脚７Ａ、間柱脚１２の柱脚を基礎コンクリート１３に定着するために本発明が適用される。
【００１８】
本柱脚基部の定着構造においては、図３及び図４に示されるように、前記各柱脚は従来の定着構造と同様に下端部にベースプレート１４を備えるが、このベースプレート１４が直接、アンカーボルト１５によって固定されるのではなく、ベースプレート１４の上面側に押えプレート１７が配設され、この押えプレート１７がアンカーボルト１５，１５によって固定され、前記ベースプレート１４を上面側から押え付ける構造とするものである。
【００１９】
以下、さらに具体的に詳述すると、
本定着構造においては、基礎コンクリート１３に対するアンカーボルト１５の埋設位置は、前記ベースプレート１４の外方側位置とし、その周囲に複数本設置するようにする。本形態例では図４に示されるように、ベースプレート１４の一方側側辺の外側に間隔をおいて２本のアンカーボルト１５，１５を設置するとともに、前記一方側側辺と対峙する他方側側辺の外側に間隔をおいて２本のアンカーボルト１５，１５を設置するようにしている。
【００２０】
前記ベースプレート１４の設置は、基礎コンクリート１３の上面にレベル調整用モルタル１６を打設し高さ調整を行った後、このレベル調整用モルタル１６を座面としてベースプレート１４を載置する。そして、柱脚７Ａ、７Ｂ、１２を跨いだ両側位置にそれぞれ、両端部のボルト孔１７ａ、１７ａにアンカーボルト１５を挿通させながら押えプレート１７をベースプレート１４の上面に配置し、前記アンカーボルト１５位置において、ワッシャー１８を配設した後、ナット部材１９，１９をアンカーボルト１５に螺設することにより押えプレート１７の締結を図り、前記ベースプレート１４を上面側から押え付けるように保持する。
【００２１】
なお、前記ベースプレート１４は、押えプレート１７を固定するアンカーボルト１５，１５との間に間隙ａ１，ａ２を有するとともに、前記押えプレート１７は柱脚７Ａ、７Ｂ、１２との間に間隙ｂ１、ｂ２を有しており、前記ダブルナット１９，１９を締結する前の状態では、前記柱脚７Ａ、７Ｂ、１２は前記間隙ａ１、ａ２、ｂ１、ｂ２寸法内で平面的に二次元方向に位置調整可能となっている。
【００２２】
前記定着構造の施工手順は、先ず図５(A)に示されるように、前記基礎コンクリート１３の施工時に、前記押えプレート１７をゲージとして、埋設されるアンカーボルト１５の位置決めを行い、コンクリート打設天端までコンクリート打設を行う。
【００２３】
基礎コンクリート１３の施工が完了したならば、図５(B)に示されるように、基礎コンクリート１３の上面にレベル調整用モルタル１６を打設し、ベースプレート載置面の高さ調整を行い、続いて前記レベル調整用モルタル１６上に柱脚７Ａ、７Ｂ、１２のベースプレート１４を載置したならば、両端部に形成されたボルト孔１７ａ、１７ａに前記アンカーボルト１５を挿通させながら前記ベースプレート１４の上面側に押えプレート１７を載置し、前記アンカーボルトに螺設されたナット部材１９，１９により締結を図り、ベースプレート１４を上面側から押え付けるように保持する。
【００２４】
そして最後に、図３に鎖線で示されるように、柱脚部に作用する水平力を処理するために、後打ちコンクリート２１を基礎コンクリート１３の上面側に打設し、アンカーボルト１５、ベースプレート１４、押えプレート１７等を覆い隠すようにする。前記水平力の処理は、抑えプレート１７，１７とベースプレート１４とを溶接により一体化することによってもよい。この場合は、必ずしも後打ちコンクリートを打設する必要はないが、アンカーボルト１５等の腐食を防ぐためには施工する方が望ましい。
【００２５】
〔他の形態例〕
(1)上記形態例では、押えプレート１７、１７を柱脚７Ａ、７Ｂ、１２を跨いで両側に夫々側辺と平行に配置したが、前記押えプレート１７の配置態様は任意である。例えば、図６に示されるように、ベースプレート１４の各隅部を押え付けるように各隅部に斜め方向に配置するようにしてもよい。
【図面の簡単な説明】
【００２６】
【図１】本発明に係る柱脚の定着構造が適用される温室１の側面図である。
【図２】(A)は図１のIIＡ−IIＡ線矢視図、(B)は図１のIIＢ−IIＢ線矢視図である。
【図３】柱脚７Ａ（７Ｂ、１２）の定着構造を示す縦断面図である。
【図４】図３のIV−IV線矢視図である。
【図５】柱脚７Ａ（７Ｂ、１２）の施工手順図(A)、(B)である。
【図６】押えプレート１７の他の配置例を示す平面図である。
【図７】従来の柱脚定着構造を示す側面図である。
【符号の説明】
【００２７】
１…温室、２…架構、３…日射透過性被覆材、４…中間面材、５…端部面材、６…水平連結材、７…複合柱脚、７Ａ…外側柱脚、７Ｂ…内側柱脚、８…斜材、９…水平材、１０…主梁、１１…曲線梁、１２…間柱脚、１３…基礎コンクリート、１４…ベースプレート、１５…アンカーボルト、１６…レベル調整用モルタル、１７…押えプレート、１９…ナット部材
【図１】
2005133442.tif 000003
【図２】
2005133442.tif 000004
【図３】
2005133442.tif 000005
【図４】
2005133442.tif 000006
【図５】
2005133442.tif 000007
【図６】
2005133442.tif 000008
【図７】
2005133442.tif 000009